(57)【要約】【課題】ＡＦ瞳調整用の勘合溝の方向と光軸方向を略平行とすることで瞳調整の方向を独立させ追い込み時間を短縮すること、また予期しない方向への瞳ずれを防ぎＡＦ精度の高精度化を達成する瞳出し調整機構を持った焦点検出装置を提供すること。【解決手段】撮像素子に結像される被写体光の一部を焦点検出装置に入射させる焦点検出光学系と、前記焦点検出光学系を保持する保持部材と、前記保持部材に設置され前記撮像素子の長手方向に延在し当該部を中心として前記保持部材を回転可能とする一対の軸部と、前記軸部の一方に嵌合し前記焦点検出光学系の光軸に沿って前記軸部を移動させる偏心カムとを有することを特徴とする構成とした。【選択図】  図１
2013142888.tif 000002
【特許請求の範囲】
【請求項１】
撮像素子（４０）に結像される被写体光の一部を焦点検出装置（１００）に入射させる焦点検出光学系と、前記焦点検出光学系を保持する保持部材（１３５）と、前記保持部材に設置され前記撮像素子（４０）の長手方向に延在し当該部を中心として前記保持部材（１３５）を回転可能とする一対の軸部（１３５ａｂ）と、前記軸部（１３５ａｂ）に嵌合し前記焦点検出光学系の光軸に沿って前記軸部（１３５ａｂ）を移動させる構造を持つプレート（１３０）を有することを特徴とする焦点検出装置（１００）。
【請求項２】
前記焦点検出光学系の光軸に沿って前記軸部（１３５ａｂ）を移動させるにあたり、前記軸部（１３０ａｂ）の一方に嵌合し、その外周において前記プレート（１３０）に当接する偏心カム（１４０）を有することを特徴とする請求項１に記載の焦点検出装置（１００）。
【発明の詳細な説明】
【技術分野】
【０００１】
本発明は、撮像装置における自動焦点検出機構(ＡＦ)に関し、特にＡＦユニット位置調整機構に関する。
【背景技術】
【０００２】
一眼レフレックスカメラ等に用いられる二次結像位相差方式の焦点検出装置では、撮影レンズと撮影素子との間にサブミラーを設け、かかるサブミラーによって被写体光の一部を屈曲させて焦点検出装置に入射させている。そのため、焦点検出装置の光軸と撮像素子の光軸を合わせる調整機構、所謂、瞳出し調整機構が必要となる。特許文献１では、撮像素子の短手方向にＵ字穴が切り欠かれた金属部材と偏心カムによる調整機構が開示されている。
【先行技術文献】
【特許文献】
【０００３】
【特許文献１】特開２００６-３４７２号公報
【発明の概要】
【発明が解決しようとする課題】
【０００４】
特許文献１に開示された従来技術では、ＡＦ瞳出し調整用の嵌合溝は撮像素子を基準として方向が考えられており、この方向は必ずしも光軸と平行ではない。そのために一方向の瞳出し調整によって想定しない別方向の瞳がずれてしまい、それにより瞳調整の追い込みに時間がかかる、ＡＦ精度の高精度化が困難であるといった課題があった。
【０００５】
そこで本発明の目的は、ＡＦ瞳調整用の勘合溝の方向と光軸方向を略平行とすることで瞳調整の方向を独立させ追い込み時間を短縮すること、また予期しない方向への瞳ずれを防ぎ、ＡＦ精度の高精度化を達成することである。
【課題を解決するための手段】
【０００６】
上記目的を達成するための構成は、撮像素子（４０）に結像される被写体光の一部を焦点検出装置（１００）に入射させる焦点検出光学系と、前記焦点検出光学系を保持する保持部材（１３５）と、前記保持部材に設置され前記撮像素子（４０）の長手方向に延在し当該部を中心として前記保持部材（１３５）を回転可能とする一対の軸部（１３５ａｂ）と、前記軸部（１３５ａｂ）に嵌合し前記焦点検出光学系の光軸に沿って前記軸部（１３５ａｂ）を移動させる構造を持つプレート（１３０）を有することを特徴とする焦点検出装置（１００）。
【発明の効果】
【０００７】
本発明によれば、ＡＦ瞳調整の調整方向を独立させ追い込み時間を短縮すること、また予期しない方向への瞳ずれを防ぎ、ＡＦ精度の高精度化を達成することが可能となる。
【図面の簡単な説明】
【０００８】
【図１】本発明の焦点検出装置を有する撮像装置（カメラ）の光学系を表す概略斜視図である。
【図２】図１に示す撮像装置の側方からの概略斜視図である。
【図３】図１および図２に示す焦点検出装置を構成する要素を展開した展開斜視図である。
【図４】Ｙ方向の瞳ずれ（傾き）の調整を説明するための概略側面図である。
【図５】Ｘ方向の瞳ずれ（傾き）の調整を説明するための概略側面図である。
【図６】偏心カムの回転により軸部の位置が変わることを説明するための図である。
【図７】瞳出し調整において、従来技術における問題点を説明するための概略側面図である。
【図８】瞳出し調整において、従来技術における問題点を説明するための概略側面図である。
【発明を実施するための形態】
【０００９】
［実施例１］
以下、添付図面を参照して、本発明の一側面としての焦点検出装置及びかかる焦点検出装置を有する撮像装置について説明する。なお、各図において、同一の部材については同一の参照番号を付し、重複する説明は省略する。
【００１０】
図１は、本発明の焦点検出装置１００を有する撮像装置（カメラ）１の光学系を示す概略斜視図である。図２は、撮像装置１の側方からの概略断面図である。撮像装置１は、本実施形態では、ＣＣＤ又はＣＭＯＳセンサーなどの撮像素子４０を用いた単板式のデジタルカラーカメラであり（以下、「カメラ１」とする。）、撮像素子を連続的又は単発的に駆動して動画像又は静止画像を表わす画像信号を取得する。カメラ１は、撮影光学系１０と、主ミラー２０と、サブミラー３０と、撮像素子４０と、シャッターユニット５０と、レンズ通信ユニット６０とを有する。
【００１１】
主ミラー２０は、撮影光学系１０からの被写体光束を分割する。主ミラー２０の一部はハーフミラーとなっており、一部の被写体光束を透過し、残りの被写体光束を上方に反射する。
【００１２】
サブミラー３０は、主ミラー２０を透過した被写体光束を下方に反射する。サブミラー３０の下方には撮影光学系１０の焦点状態を検出する焦点検出装置１００が配置され、サブミラー３０で反射された被写体光束は焦点検出装置１００に導かれる。
【００１３】
シャッターユニット５０は、上部に後幕を収納するスペース５０ａ、下部には先幕を収納するスペース５０ｂを必要とする。従って、シャッターユニット５０は、開口部５１以外にも上下に大きなスペースが必要となる。そのため、図２に示すように、焦点検出装置１００の後方にもシャッターユニット５０が存在し、焦点検出装置１００の後方にはスペースの余裕はほとんどない。即ち、焦点検出装置１００の後方に調整用の回転軸を設けることは非常に困難である。
【００１４】
レンズ通信ユニット６０は、撮影光学系１０を有する取り外し可能な撮影レンズとカメラ本体との通信を行う機能を有する。レンズ通信ユニット６０は、主ミラー２０及びサブミラー３０がミラーアップする際のミラー収納スペースの関係から、撮影レンズとカメラの接合部付近の下方に設けることが好ましい。これにより、焦点検出装置１００の前方には、レンズ通信ユニット６０が存在することとなり、焦点検出装置１００の前方にはスペースの余裕がほとんどない。即ち、焦点検出装置１００の前方に調整用の回転軸を設けることは非常に困難である。
【００１５】
焦点検出装置１００は位相差検出方式の焦点検出を行う機能を有する。焦点検出装置１００は、撮影光学系１０の一対の異なる瞳領域（第１の瞳領域１２ａ及び１２ｂ、第２の瞳領域１４ａ及び１４ｂ）から得られる２つの被写体像の相対位置関係から、撮影光学系１０の焦点状態を検出する。なお、撮影光学系１０の一対の異なる瞳領域から得られる２つの被写体像の相対位置関係を基に、撮影光学系１０の焦点状態を検出することは、当業者に周知の技術であり、ここでの詳しい説明は省略する。
【００１６】
第１の瞳領域１２ａ及び１２ｂは、図１におけるＸ方向（撮像素子４０の長手方向）に並んでいるため、得られる２つの被写体像は、撮影光学系１０の焦点状態に応じてＸ方向に、それぞれ反対向きに移動する。焦点検出装置１００は、２つの被写体像をＸ方向に並ぶ二つのラインセンサーで受光して、２つの像信号を取得し、２つの像信号の相対位置ずれ量（位相差）を得る。かかる位相差は、撮影光学系１０のデフォーカス量に略比例することから、位相差を基に撮影光学系１０の焦点検出状態を検出することができる。従って、第１の瞳領域１２ａ及び１２ｂでは、横方向にコントラストを有する被写体に対して良好な焦点検出を行うことができる。
【００１７】
一方、第２の瞳領域１４ａ及び１４ｂは、図１におけるＹ方向（撮像素子４０の短手方向）に並んでいるため、縦方向にコントラストを有する被写体に対して良好な焦点検出が行える。本実施形態の焦点検出装置１００は、撮影光学系１０のＸ方向及びＹ方向に並ぶ一対の瞳領域を透過した被写体光束によって焦点検出を行う。そのため、縦方向のみにコントラストを有する被写体でも、横方向のみにコントラストを有する被写体でも、焦点検出を行うことができる。
【００１８】
焦点検出装置１００は、カバー１１０と、遮光シート１１５および１２５と、フィールドレンズ１２０と、保持部材１３５と、プレート１３０と、偏心カム１４０と、ＩＲ−ＣＵＴフィルター１５５と、折り返しミラー１５０と、絞り１６０と、再結像レンズ１６５と、センサーホルダー１７５と、当接部材１７０と、焦点検出用センサー１８０と、セパレータ１４５とを有する。
【００１９】
カバー１１０は、サブミラー３０で反射した被写体光束を制限する遮光部材である。カバー１１０は、被写体光束のうち焦点検出に必要な光束だけを透過するような開口を有し、かかる開口は撮影光学系１０の略結像面付近に配置され、必要な被写体光束を焦点検出光学系に導き、不必要な被写体光束を遮光する。
【００２０】
縦視野は、焦点検出用センサー１８０上での像の移動方向が縦方向であるため、図１に示す撮影光学系１０の一対の異なる瞳領域１４ａ及び１４ｂを透過した光束のための開口である。横視野は、焦点検出用センサー１８０上での像の移動方向が横方向なので、図１に示す撮影光学系１０の一対の異なる瞳領域１２ａ及び１２ｂを透過した光束のための開口である。
【００２１】
遮光シート１１５及び１２５は、カバー１１０の開口を透過した光束を更に制限する。
【００２２】
フィールドレンズ１２０は、焦点検出光学系の瞳を撮影光学系１０の瞳に投影する。
【００２３】
保持部材１３５は、焦点検出装置１００を構成する各部品を保持する。具体的には、保持部材１３５は、カバー１１０、遮光シート１１５および１２５、フィールドレンズ１２０、偏心カム１４０、セパレータ１４５、ＩＲ−ＣＵＴフィルター１５５、折り返しミラー１５０、絞り１６０、再結像レンズ１６５、当接部材１７０、センサーホルダー１７５、焦点検出用センサー１８０を保持する。
【００２４】
保持部材１３５は、図３（ｂ）に示すように、Ｘ方向に伸びる一対の軸部１３５ａ及び１３５ｂを有する。保持部材１３５の前方にはレンズ通信ユニット６０が存在し、保持部材１３５の後方にはシャッターユニット５０が存在するため、保持部材１３５の前後方向に軸部１３５ａ及び１３５ｂを設けるのは非常に困難である。そこで、本発明の焦点検出装置１００では、比較的にスペースの余裕が有るＸ方向に一対の軸部１３５ａ及び１３５ｂを設けることで、カメラ１内のスペースを有効に利用し、カメラ１の大型を防ぐことができる。
【００２５】
図３（ｂ）を参照するに、軸部１３５ａには偏心カム１４０が嵌合し、保持部材１３５に対して回転可能となっている。
【００２６】
プレート１３０はビス穴を複数個所に有し、保持部材１３５をカメラ本体にねじ止めし取り付ける機能を有する。プレート１３０は、カメラ本体の変形を保持部材１３５に伝えにくくするために、ヤング率が大きい材質であることが望ましい。例えば、ステンレスや鉄などの金属製の板材をプレス加工などによって曲げたものをプレート１３０として用いる。
【００２７】
更に、プレート１３０の強度を保つためには、環状につながった形状であることが望ましい。プレート１３０は、本実施形態では、保持部材１３５を囲むような環状につながった形状を有する。これにより、カメラ本体の変形を吸収するのに十分な強度を保つことができ、保持部材１３５の歪みを防ぐことができる。
【００２８】
プレート１３０には、焦点検出装置１００へと導かれる光軸と略平行な方向Ｆに沿っており、かつ略Ｙ方向に当接部を有したＵ字型の軸受け部１３０ａ及び１３０ｂが形成されている。軸受け部１３０ａ及び１３０ｂは、カメラ前後方向の幅が軸部１３５ａ及び１３５ｂと嵌合する寸法となっている。つまり軸部１３５ａ及び１３５ｂが軸受け部１３０ａ及び１３０ｂに嵌っている状態では、保持部材１３５のプレート１３０に対するカメラ前後方向の位置は一意的に決まるような構成となっている。軸受け部１３０ａのＵ字穴は軸受け部１３０ｂのＵ字穴より長く、保持部材１３５をプレート１３０に対して設計値の位置にもってくると、軸部１３５ａと軸受け部１３０ａはＹ方向に当接しないが、軸部１３５ｂと軸受け部１３０ｂは当接した状態となる。つまり、軸部１３５ｂと軸受け部１３０ｂはカメラ前後方向及び略Ｙ方向に当接して一意的に位置が決まり、軸部１３５ａと軸受け部１３０ａは焦点検出装置１００へと導かれる光軸に平行な方向Ｆにのみ動ける構成になっている。
【００２９】
偏心カム１４０は、保持部材１３５の軸部に嵌合し、保持される。保持部材１３５の軸部１３５ａに嵌合する偏心カム１４０は、外周でプレート１３０と当接してプレート１３０に対する軸部１３５ａの高さ位置を決めている。これにより、上述したように焦点検出装置１００へと導かれる光軸に沿った方向に移動可能であった軸部１３５ａの位置は、偏心カム１４０の回転角度によって一意的に決まる。保持部材１３５は軸部１３５ａ及び１３５ｂを回転中心としてプレート１３０に対して回動可能である。更に、偏心カム１４０の回転により軸部１３５ａの高さ位置を変えて、撮影光学系１０の光軸を軸とするような回転動作も可能となっている。
【００３０】
保持部材１３５の前方にはレンズ通信ユニット６０が存在し、保持部材１３５の後方にはシャッターユニット５０が存在するため、保持部材１３５の前後方向に偏心カム１４０を配置するのは非常に困難である。そこで本発明の焦点検出装置１００では、比較的にスペースの余裕が有る左右方向に偏心カム１４０を配置することで、カメラ１内のスペースを有効に利用してカメラ１の大型化を防ぐことができる。
【００３１】
本発明の焦点検出装置１００は、保持部材１３５の軸部１３５ａ及び１３５ｂを軸とする回転と、偏心カム１４０の回転による軸部１３５ａの高さ位置の調整により、２方向の傾きを調整することが可能である。かかる２方向の傾き調整によって、焦点検出装置１００は、焦点検出光学系の光軸と撮影光学系の光軸のずれを調整する、所謂、瞳出し調整を行う構成になっている。瞳出し調整が完了した後は、当接面に瞬間接着剤や溶着剤を流し込み、保持部材１３５とプレート１３０と偏心カム１４０を固定する。
瞳出し調整の詳細については後述する。
【００３２】
折り返しミラー１５０は、ガラス表面にアルミの蒸着膜が施され、波長４００ｎｍ乃至８００ｎｍの光をほぼ同じ反射率で反射する。折り返しミラー１５０は、カメラ下部の限られたスペースに焦点検出装置１００を収納するために、被写体光束を折り返す機能を有し、焦点検出装置１００の小型化に寄与する。
【００３３】
絞り１６０は、再結像光学系の光路中に配置され、再結像光学系の一部を構成する。絞り１６０には一対の開口が形成され、再結像レンズ１６５の一対のレンズ部に入射する光束を制限している。絞り１６０は、フィールドレンズ１２０によって撮影光学系１０の瞳上に投影される。投影された絞り１３０の一対の開口により、撮影光学系１０の瞳における一対の異なる瞳領域からの光束を透過する。絞り１３０は、リン青銅などの金属板や遮光用樹脂シートで構成される。リン青銅板を用いる場合には、リン青銅板を型で打ち抜き、打ち抜いた後のリン青銅板に黒色メッキを施すことで、絞り１３０を製作する。遮光用樹脂シートの場合には、型で打ち抜くだけで製作することができる。
【００３４】
再結像レンズ１６５は、絞り１６０の一対の開口に対応して一対のレンズを有し、撮影光学系１０の異なる瞳領域からの光束をそれぞれ撮像素子４０上に結像させる。
【００３５】
センサーホルダー１７５は、焦点検出用センサー１８０を保持する部材である。センサーホルダー１７５と焦点検出用センサーとは、瞬間接着剤や溶着剤などにより固定される。センサーホルダー１７５は、被写体光束を透過させるための開口部１７０ａを有する。開口部１７０ａは、被写体光束を制限する機能はないため、被写体光束有効部より余裕のもった大きな開口となっている。
【００３６】
センサーホルダー１７５と当接部材１７０とは、当接しており、光軸を中心とする回転が可能であると共に、光軸に垂直な面上を移動可能となっている。再結像レンズ１６５は保持部材１３５に固定されている。一方、焦点検出用センサー１８０はセンサーホルダー１７５と一体となって、当接部材１７０に対して光軸を中心とする回転と、光軸に垂直な面上を移動することが可能となっている。更に、焦点検出用センサー１８０、センサーホルダー１７５及び当接部材１７０は一体となって、保持部材１３５に対して矢印α方向及びβ方向の向きに回転可能となっている（図３（ａ）参照）。上述したような回転機構と、光軸を法線とする面上のシフト機構を設けることで、再結像レンズ１６５と焦点検出用センサー１８０の５軸調整機構を実現することができる。５軸調整完了後は、瞬間接着剤やモールド溶着剤などを褶動面に流し込み、保持部材１３５、当接部材１７０及びセンサーホルダー１７５を固定する。
【００３７】
当接部材１７０は、センサーホルダー１７５と保持部材１３５との間に介在して、焦点検出用センサー１８０の傾きを調整する調整機構を実現する。当接部材１７０は、被写体光束を透過させるための開口部１７０ａと、保持部材１３５に当接するための一対の球面部１７０ｂとを有する。開口部１７０ａは、被写体光束を制限する機能はないため、被写体光束有効部より余裕をもった大きな開口となっている。球面部１７０ｂは、当接部材１７０の両端にあり、それぞれ球面の一部を切り出したような形状を有する。換言すれば、当接部材１７０は、両端に球を２つ有し、保持部材１３５と当接するようになっている。
【００３８】
一方、保持部材１３５には、図３に示すように、当接面１３５ｃを有する。当接面１３５ｃは、球を或る半径で回した形状で削られた形状を有する。このときの球の半径は、当接部材１７０の球面部１７０ｂと等しくする。保持部材１３５の当接面１３５ｃと当接部材１７０の球面部１７０ｂが褶動することで、当接部材１７０は保持部材１３５に対して矢印αの方向にも矢印βの方向にも回転可能となっている（図３（ａ）参照）。矢印α方向に回転する場合には、当接部材１７０の球面部１７０ｂの球中心を回転中心として回転する。一方、矢印βの方向に回転する場合には、保持部材１３５の当接面１３５ｃに沿って当接部材１７０が移動するため、当接面１３５ｃの球を回転する際の中心を回転中心として回転する。
【００３９】
セパレータ１４５は、中央視野の被写体光束と周辺視野の被写体光束とが混ざることを防ぐ機能を有する。フィールドレンズ１２０の中央レンズ部１２１ａを透過した光束が絞り１６０の周辺視野用の開口を透過して焦点検出用センサー１８０に到達するとゴースト光となって検出誤差を発生させてしまう。そこで、本実施形態では、フィールドレンズ１２０とＩＲ−ＣＵＴ１５０との間の光路で、中央視野用の光束と周辺視野用の光束の隙間にセパレータ１４５及び１９５を介在させ、光束が混ざることを防いでいる。
【００４０】
以下、図４及び図５を用いて、焦点検出装置１００の瞳出し調整について詳しく説明する。図４は、Ｙ方向の傾きの調整を説明するための概略側面図であって、図４（ｂ）は調整幅の中間位置にある場合、図４（ａ）は焦点検出装置１００の光軸を中間位置から後方にθ１傾けた場合、図４（ｃ）は焦点検出装置１００の光軸を中間位置から前方にθ１傾けた場合を示している。
【００４１】
図４（ｂ）を参照するに、保持部材１３５の軸部１３５ａに偏心カム１４０を嵌合して保持し、それをプレート１３０に取り付ける。取り付ける際には、保持部材１３５の軸部１３５ｂがプレート１３０の軸受け部１３０ｂに当接し、偏心カム１４０の外周がプレート１３０に当接するように、保持部材１３５を矢印Ａの方向に付勢する。
【００４２】
Ｙ方向の傾きを調整する際には、保持部材１３５を回転させたい方向に押し、軸部１３５ａ及び１３５ｂを中心として回転させる。プレート１３０は、カメラ本体にビス止めされているため固定されている。保持部材１３５を回転させると、プレート１３０を除く焦点検出装置１００を構成する全ての要素が軸部１３５ａ及び１３５ｂを中心に回転する。軸部１３５ａ及び１３５ｂを中心とする回転の場合には、図４（ａ）及び図４（ｃ）に示すように、保持部材１３５をθ１だけ回転させれば、焦点検出装置１００の光軸もθ１だけ傾く。
【００４３】
保持部材１３５を回転させたい方向に押す場合、その移動量は非常に微細である。そこで、マイクロメーターなど微小な押し込み量を制御可能な手段で、保持部材１３５の表面を押すのが好ましい。なお、このとき押し込み方向と逆方向に保持部材１３５を付勢する手段が必要なのは言うまでもない。
【００４４】
軸部１３５ａ及び１３５ｂを中心とする回転は、褶動面の接触面積が小さく、摩擦も少ないため、微小量の調整を行い易い。従って、本発明の焦点検出装置１００では、Ｙ方向の傾きを非常に精度よく調整することが可能となる。
【００４５】
図５は、Ｘ方向の傾きの調整を説明するための概略背面図であって、図５（ｂ）は調整幅の中間位置にある場合、図５（ａ）はカメラ１の背面から見て右にθ２傾けた場合、図５（ｃ）はカメラ１の背面から見て左にθ２傾けた場合を示している。
【００４６】
図５（ｂ）を参照するに、保持部材１３５の軸部１３５ａに偏心カム１４０を嵌合して保持し、それをプレート１３０に取り付ける。取り付ける際には、保持部材１３５の軸部１３５ｂがプレート１３０の軸受け部１３０ｂに当接し、偏心カム１４０の外周がプレート１３０に当接するように、保持部材１３５を矢印Ｂの方向に付勢する。
【００４７】
Ｘ方向の傾きを調整する際には、偏心カム１４０を回してプレート１３０との当接面を変え、保持部材１３５の軸部１２５の位置を移動させることで傾き調整を行う。プレート１３０は、カメラ本体にビス止めされているため固定されている。偏心カム１４０が回転すると、保持部材１３５の軸部１３５ａの位置が変わる。一方、軸部１３５ｂはプレート１３０の軸受け部１３０ｂに当接して位置が変わらないため、プレート１３０を除く焦点検出装置１００を構成する全ての要素が、軸部１３５ｂと当接するプレート１３０の軸受け部１３０ｂを中心に回転する。
【００４８】
図６を用いて、偏心カム１４０の回転により軸部１３５ａの位置が変わることを説明する。図６において、図６（ｂ）は偏心カム１４０が調整幅の中間位置にある場合、図６（ａ）は偏心カム１４０を右回りに回した場合、図６（ｃ）は偏心カム１４０を左回りに回した場合を示している。なお、これは図５における調整状態とそれぞれ対応している。
【００４９】
図６に示すように、偏心カム１４０は、側面に矩形凹部１４０ａを有し、例えば、市販の六角レンチで偏心カム１４０を回すことができる構成となっている。
【００５０】
ここで、偏心カム１４０の外周円の直径をφＤ、軸部１３５ａの中心と偏心カム１４０の外周円の中心の偏心量をｔとする。図６（ａ）に示すように、偏心カム１４０を右回りにθ４回すと、軸部１３５ａの中心と偏心カム１４０の外周中心はｔだけ偏心しているため、軸部１３５ａの中心とプレート１３０との当接面との距離がΔＹ１だけ短くなる。すると、偏心カム１４０は上方向に付勢されているため、軸部１３５ａの位置が上方向にΔＹ１だけ動く。一方、図６（ｃ）に示すように、偏心カム１４０を左回りにθ４回すと、軸部１３５ａの中心と偏心カム１４０の外周中心はｔだけ偏心しているため、軸部１３５ａの中心とプレート１３０との当接面との距離がΔＹ１だけ長くなる。すると、軸部１３５ａの位置が下方向にΔＹ１だけ動く。
【００５１】
本実施形態では、偏心カム１４０の形状を、直径φＤ＝８．６ｍｍ、偏心量ｔ＝０．４０ｍｍとした。このとき、偏心カム１４０をθ４だけ回すと、軸部１３５ａの変化量ΔＹ１は、０．２８ｍｍとなる。
【００５２】
本実施形態では、偏心カム１４０とプレート１３０の当接部から軸部１３５ａとプレート１３０の当接部までの距離Ｌを２５ｍｍとした。従って、軸部１３５ａがΔＹ１動いたときに、焦点検出装置１００の光軸の傾き量θ２は、θ２＝ａｔａｎ（ΔＹ１／Ｌ）と表される。これに変化量ΔＹ１＝０．２８、距離Ｌ＝２５を代入すると、傾き量θ２は、θ２＝ａｔａｎ（０．２８／２５）＝０．６４度となる。
【００５３】
つまり、偏心カム１４０を４５度回転させても、焦点検出装置１００の光軸の傾き量θ２は０．６４度しか変わらないため、高精度な傾き調整が可能となる。
【００５４】
また、偏心カム１４０を回転させる方式では、調整の動きが回動方向であるために、滑らかに動かすことができることに加えて、動きも安定する。そのため、微小な動きを行い易く、再現性の良い傾き調整が可能となる。
【００５５】
このように、焦点検出装置１００は、保持部材１３５の軸部１３５ａ及び１３５ｂを中心とする回転によってＹ方向の傾きの調整を行い、偏心カム１４０の回転によりＸ方向の傾きの調整を行うことで、瞳出し調整を行うことができる。
【００５６】
従来の瞳出し調整においては、プレート１３０のＵ字穴は焦点検出装置１００へと導かれる光軸に沿っておらず、撮像装置４０の短手方向に沿うよう設置されていた。そのためにＸ方向の傾きの調整を行うと、図７に示すように、同時に光軸からの距離も変化してしまう。これはつまりＹ方向に瞳がずれることを示しており、撮影光学系１０における瞳で見ると、図８に示すように図８（ｂ）から図８（ａ）となるように調整をしたにも関わらず、図８（ｃ）のようにずれてしまうことを示している。
【００５７】
本発明においては、プレート１３０のＵ字穴を焦点検出装置１００へと導かれる光軸に沿わせたことで、Ｘ方向の傾きの調整をＹ方向の傾きの調整と独立した。それにより、追い込み時間を短縮し、また予期しない方向への瞳ずれをなくすことでＡＦ精度の高精度化を達成する機構を提供することができる。
【００５８】
瞳出し調整完了後は、図５に示したように、保持部材１３５とプレート１３０の当接面と、プレート１３０と偏心カム１４０の当接面に瞬間接着剤を流し込み、保持部材１３５とプレート１３０と偏心カム１４０を固定する。瞬間接着剤で固定することで、矢印Ｂ方向への付勢がなくなっても、瞳出し調整完了後の傾きを維持することができる。
【００５９】
以上のように、焦点検出装置１００は、保持部材１３５の軸部１３５ａ及び１３５ｂ、プレート１３０の軸受け部１３０ａ及び１３０ｂ、偏心カム１４０を、カメラ１内のスペースに比較的余裕が有るＸ方向に設けることで、カメラ１内に効率的に収納することができる。また、焦点検出装置１００は、偏心カム１４０の回転運動により瞳出し調整を行うことで、調整敏感度が高くないことに加えて滑らかな動きを再現性良く実現することができるため、高精度な瞳出し調整が可能である。
【００６０】
以上、本発明の好ましい実施例について説明したが、本発明はこれらの実施例に限定されないことはいうまでもない。
【００６１】
例えば、偏心カム１４０を使用せずに、軸部１３５ａ及び１３５ｂを異なる手段で把持した上で焦点検出装置１００へと導かれる光軸に沿って瞳出し調整を完了し、瞳出し調整完了後は、保持部材１３５とプレート１３０の当接面に瞬間接着剤を流し込み保持部材１３５とプレート１３０を固定するなど、この要旨の範囲内で種々の変形及び変更が可能である。
【符号の説明】
【００６２】
４０  撮像素子
１００  焦点検出装置
１３５  保持部材
【図１】
2013142888.tif 000003
【図２】
2013142888.tif 000004
【図３】
2013142888.tif 000005
【図４】
2013142888.tif 000006
【図５】
2013142888.tif 000007
【図６】
2013142888.tif 000008
【図７】
2013142888.tif 000009
【図８】
2013142888.tif 000010